【手続補正書】
【提出日】平成17年6月29日(2005.6.29)
【手続補正１】
【補正対象書類名】明細書
【補正対象項目名】全文
【補正方法】変更
【補正の内容】
【書類名】        明細書
【発明の名称】  取付部材
【特許請求の範囲】
【請求項１】
部材（１）が基壁（２）と、基壁（２）から突出する突出壁（３）とを備え、基壁（２）と突出壁（３）とが、ビスホール（７）用の円弧部（５，６）を個別に設け、基壁円弧部（５）が突出壁（３）から離れ、突出壁円弧部（６）が基壁（２）から離れた状態にあり、突出壁（３）が基壁（２）側基端部を支点として突出方向と直交方向に変形可能となることを特徴とする取付部材。
【請求項２】
第一突出壁（３１）と第二突出壁（３２）とを突出壁（３）として備え、第一突出壁（３１）と第二突出壁（３２）とに円弧部（６１，６２）を夫々対向して設け、第一突出壁（３１）と第二突出壁（３２）とが基壁（２）側基端部を支点として夫々変形可能となることを特徴とする請求項１記載の取付部材。
【請求項３】
第一突出壁（３１）と第二突出壁（３２）とが先端部に係止部（８ａ，８ｂ）を夫々備え、第一突出壁（３１）と第二突出壁（３２）の先端側に、係止部（８ａ，８ｂ）に係止するカバー（９）を取付け、カバー（９）によって第一突出壁（３１）と第二突出壁（３２）との間の溝（４）を塞いでいることを特徴とする請求項２記載の取付部材。
【発明の詳細な説明】
【０００１】
【発明の属する技術分野】
本発明は、ビスホールを有する取付部材に関するものである。
【０００２】
【従来の技術】
従来の取付部材に設けたビスホールは、部材の基壁に、基壁を頂点として設けるか、図４（イ）の如く基壁２と、基壁２から直交して突出する突出壁３との隅角部に設け、即ち、基壁２側と突出壁３側とにビスホール７の略半分づつ設け、基壁２と突出壁３との交差部から４５度の方向に開口し、或いは図４（ロ）の如く基壁２と、基壁２から突出して相対する左右突出壁３１，３２とに跨がって設け、即ち、基壁２側と左右突出壁３１，３２側とにビスホール７を略１／３づつ設け、突出壁３１，３２間において開口し、何れもビスホール７の形成部が他より肉厚となっている。
【０００３】
【発明が解決しようとする課題】
ビスホールを備えた取付部材において、突出壁の変形を利用して他部材と係止する場合、突出壁のビスホール形成部が他より肉厚であるから、肉厚部の変形がなく、ビスホール形成部から先端側が変形範囲となる。即ち、ビスホール形成部を支点として変形するため、基壁２を支点として変形する同一寸法の突出壁より変形量が少なくなり、その分、他部材との係止が困難になる問題点があった。これを解消するには、突出壁の突出長さをビスホール形成部に対応して長くする必要があるが、突出壁を長くすると、取付部材の寸法が大きくなり、素材量も多く消費する問題点があった。そこでこの発明は、従来技術の備えるこのような問題点に鑑みてなされたものであり、その目的とするところは、突出壁の変形に影響を与えないようにビスホールを設けた取付部材を提供することにある。
【０００４】
【課題を解決するための手段】
上記目的を達成するために、本発明の取付部材は、請求項１として、部材が基壁と、基壁から突出する突出壁とを備え、基壁と突出壁とがビスホール用の円弧部を個別に設け、基壁円弧部が突出壁から離れ、突出壁円弧部が基壁から離れた状態にあり、突出壁が基壁側基端部を支点として突出方向と直交方向に変形可能となる。ここで取付部材とは、取付部材の長手方向にビスホールを備えているものの総てを言い、基壁と突出壁とは、ビスホールの一部を備えるものを言い、且つ突出壁は基壁から直交方向に突出し、基壁側基端部を支点として突出方向に対して直交方向に変形可能となるものを言い、変形可能とは、現状に復帰し得る程度に変形することを言う。ここで円弧部とは、基壁と突出壁とに分けて設けるもので、基壁に設けた円弧部と、突出壁に設けた円弧部とによってビスホールを形成する。
【０００５】
請求項２として、第一突出壁と第二突出壁とを突出壁として備え、第一突出壁と第二突出壁とに円弧部を夫々対向して設け、第一突出壁と第二突出壁とが基壁側基端部を支点として夫々変形可能となる。ここで第一突出壁と第二突出壁とは、基壁から同一方向に平行して突出するものを言い、突出長さは使用目的に応じて多少異なることもあるが、同一であることが望ましい。
【０００６】
請求項３として、第一突出壁と第二突出壁の先端部に係止部を夫々備え、第一突出壁と第二突出壁の先端側に、係止部に係止するカバーを取付け、カバーによって第一突出壁と第二突出壁との間の溝を塞いでいる。ここで係止部とは、カバーを係止するものを言い、溝とは、基壁を溝底とし、第一突出壁と第二突出壁とを溝壁とするものを言う。ここでカバーとは、係止部に係止して溝を塞ぐものを言い、係止部との係止手段は自由である。
【０００７】
【発明の実施の形態】
本発明による取付部材を実施形態のフェンスに基づき説明する。請求項１に記載の取付部材は図１（イ）の如く、部材１が基壁２と、基壁２から突出する突出壁３とを備え、基壁２と突出壁３とが、ビスホール７用の円弧部５，６を個別に設け、基壁円弧部５が突出壁３から離れ、突出壁円弧部６が基壁２から離れた状態にあり、突出壁３が基壁２側基端部を支点として突出方向と直交方向に変形可能となる。
【０００８】
取付部材１は、長手方向にビスホール７を備えており、基壁２は突出壁３の近くに、ビスホール７の一部を形成する円弧部５を備え、突出壁３は基壁２から直交して突出し、基壁２の近くにビスホール７の一部を形成する円弧部６を備え、即ち、円弧部５，６は、基壁２と突出壁３とに分けて設けてあり、基壁２に設けた円弧部５と、突出壁３に設けた円弧部６とによってビスホール７を形成し、突出壁３は基壁２側基端部を支点として突出方向に対して直交方向に変形可能となる。
【０００９】
請求項２に記載の取付部材は、図１（ロ）、図２（イ）の如く、第一突出壁（３１）と第二突出壁（３２）とを突出壁（３）として備え、第一突出壁３１と第二突出壁３２とに円弧部６１，６２を夫々対向して設け、基壁２側基端部を支点として夫々変形可能となる。第一突出壁３１と第二突出壁３２は、基壁２から同一方向に平行して突出し、且つ突出長さが同一であり、第一突出壁３１と第二突出壁３２とが他部材に係止可能になり、或いは他部材の挟持が可能となる。
【００１０】
請求項３に記載の取付部材は、図２の如く第一突出壁３１と第二突出壁３２とが先端部に係止部８ａ，８ｂを夫々備え、第一突出壁３１と第二突出壁３２との先端側に、係止部８ａ，８ｂに係止するカバー９を取付け、カバー９によって第一突出壁３１と第二突出壁３２との間の溝４を塞いでいる。第一突出壁３１と第二突出壁３２との先端部に設ける係止部８ａ，８ｂは、相対向して設けることも、一方向に向けて設けることも可能である。溝７は基壁２を溝底とし、第一突出壁３１と第二突出壁３２とを溝壁とするもである。カバー９は、溝４を塞ぐ覆部９ｃに、係止部８ａ，８ｂに係止する爪部９ａ，９ｂを有するものである。
【００１１】
【実施例】
図３（イ）の取付部材１は、基壁２と突出壁３とに設ける円弧部５，６の内周面に、取付部材１の長手方向に平行する凹部５ａ，６ａを設けると、ビスホール７に対するビスの螺入抵抗が少一段と軽くなる。図３（ロ）の如く第一突出壁３１と第二突出壁３２とに設ける円弧部６１，６２にあっても、円弧部６１，６２の内周面に凹部６ａ，６ｂを設けると同様の効果が得られる。取付部材１は、軽金属材、特にアルミニウム合金にて押出し形成したものにおいて効果を発揮するが、合成樹脂においても略同様の効果が得られる。取付部材１を軽金属材で形成する場合、カバー９を合成樹脂にて形成することが望ましい。本発明による取付部材１の代表的な用途として、竪桟、横桟、窓枠材、障子用框材、額縁材、化粧材等、広範囲である。
【００１２】
【発明の効果】
本発明の取付部材は上記の通りであるから、次に記載する効果を奏する。請求項１に記載の取付部材は、基壁と突出壁とにビスホール用の円弧部を個別に設けているので、ビスホールに対するビスの螺入抵抗が少ない。しかも突出壁の円弧部は基壁から離れ、基壁の円弧部とも離れた状態にあるので、突出壁が基壁側基端部を支点として突出方向と直交方向に変形可能となる。即ち、突出壁の全体が変形可能となる。その結果、突出長さが同一の突出壁において、最大の変形を得ることが可能となるし、他部材との係止も軽くなり、一定の係止を得るために、取付部材寸法を大きくする必要もない。
【００１３】
請求項２に記載の取付部材は、第一突出壁と第二突出壁とが基壁側基端部を支点として変形可能となるので、第一突出壁と第二突出壁とによって他部材を挟持することもできる。請求項３に記載の取付部材は、第一突出壁と第二突出壁の先端側にカバーを係止するので、ビスホールが外部から見えず、体裁が向上する。
【図面の簡単な説明】
【図１】（イ）（ロ）共、本発明による取付部材のビスホールの形成例を示す要部断面図。
【図２】図１（ロ）にカバーを取り付けた例であり、（イ）はカバーの装着前、（ロ）はカバーの装着後を示す。
【図３】（イ）（ロ）共、本発明による取付部材のビスホールの別の形成例を示す要部断面図。
【図４】（イ）（ロ）共、従来技術に係る取付部材のビスホールの要部断面図。
【符号の説明】
１・・
取付部材
２・・基壁
３・・突出壁
３１・・
第一突出壁
３２・・第二突出壁
４・・溝
５，６，６１，６２・・円弧部
７・・ビスホール
８ａ，８ｂ・・係止部
９・・カバー
Ｔ・・突出壁の変形範囲
【手続補正２】
【補正対象書類名】図面
【補正対象項目名】全図
【補正方法】変更
【補正の内容】
【図１】
2000087923.tif 000001
【図２】
2000087923.tif 000002
【図３】
2000087923.tif 000003
【図４】
2000087923.tif 000004